(57)【要約】【課題】建物の平天井と勾配天井間などの連結に関し、勾配天井の勾配角度の如何を問わず平天井と勾配天井間等の連結が行え、施工が容易で経済性にも優れる勾配天井の連結プレート及び連結構造を提供することを課題とする。【解決手段】第一の天井部２と、勾配天井を形成する第二の天井部４との境界に配置され、一方側に第一の取付部２２が他方側には第二の取付部２４がそれぞれ形成され、折曲げ境界には折曲用長孔部２６が設けられ、第一の取付部には取付用長孔部３０が、また第二の取付部には取付用長孔部３０がそれぞれ設けられ、折曲げ境界を境に第一の天井部に対する第二の天井部の勾配と同様の角度に折り曲げ、第一の取付部の取付用長孔部から止着具を挿通して、第一の天井部に配置される野縁材８に第一の取付部を取り付ける一方、第二の天井部に配置される野縁材に第二の取付部を取り付け、第一の天井部と第二の天井部とを連結する構造である。【選択図】図１
2012031674.tif 000002
【特許請求の範囲】
【請求項１】
第一の天井部と、この第一の天井部に対して傾斜する勾配天井を形成する第二の天井部との境界に配置され、
平板を二分する折曲げ境界の一方側には第一の取付部が、また他方側には第二の取付部がそれぞれ形成され、
上記折曲げ境界には、この折曲げ境界に沿う方向に長い折曲用長孔部が設けられ、
上記第一の取付部には、上記折曲げ境界と直交する方向に長い取付用長孔部が、また上記第二の取付部には、上記折曲げ境界と直交する方向に長い取付用長孔部がそれぞれ設けられ、
上記折曲げ境界を境に、上記第一の天井部に対する上記第二の天井部の勾配と同様の角度に折り曲げ、
上記第一の取付部の取付用長孔部から止着具を挿通して、上記第一の天井部に配置される野縁材又は野縁材の端部を保持するランナー材にこの第一の取付部を取り付ける一方、
上記第二の取付部の取付用長孔部から止着具を挿通して、上記第二の天井部に配置される野縁材又は野縁材の端部を保持するランナー材にこの第二の取付部を取り付け、
上記第一の天井部と上記第二の天井部とを連結する
ことを特徴とする勾配天井の連結プレート。
【請求項２】
上記第一の取付部、又は上記第二の取付部の一方又は双方に、上記折曲げ境界と直交する方向に目盛を設けた
ことを特徴とする請求項１記載の勾配天井の連結プレート。
【請求項３】
第一の天井部と、この第一の天井部に対して傾斜する勾配天井を形成する第二の天井部との境界に配置され、
平板を二分する折曲げ境界の一方側には第一の取付部が、また他方側には第二の取付部がそれぞれ形成され、
上記折曲げ境界には、この折曲げ境界に沿う方向に長い折曲用長孔部が設けられ、
上記第一の取付部には、上記折曲げ境界と直交する方向に長い取付用長孔部が、また上記第二の取付部には、上記折曲げ境界と直交する方向に長い取付用長孔部がそれぞれ設けられた勾配天井の連結プレートを用い、
上記連結プレートを、上記折曲げ境界を境に上記第一の天井部に対する上記第二の天井部の勾配と同様の角度に折り曲げ、
上記第一の取付部の取付用長孔部から止着具を挿通して、上記第一の天井部に配置される野縁材又は野縁材の端部を保持するランナー材にこの第一の取付部を取り付ける一方、
上記第二の取付部の取付用長孔部から止着具を挿通して、上記第二の天井部に配置される野縁材又は野縁材の端部を保持するランナー材にこの第二の取付部を取り付け、
上記第一の天井部と上記第二の天井部とを連結する
ことを特徴とする勾配天井の連結構造。
【請求項４】
第一の天井部に対して傾斜する勾配天井を形成する第二の天井部と、この第二の天井部が接する壁面部との境界に配置され、
平板を二分する折曲げ境界の一方側には第一の取付部が、また他方側には第二の取付部がそれぞれ形成され、
上記折曲げ境界には、この折曲げ境界に沿う方向に長い折曲用長孔部が設けられ、
上記第一の取付部には、取付用孔部が、また上記第二の取付部には、上記折曲げ境界と直交する方向に長い取付用長孔部がそれぞれ設けられた勾配天井の連結プレートを用い、
上記連結プレートを、上記折曲げ境界を境に上記壁面部に対する上記第二の天井部の勾配と同様の角度に折り曲げ、
上記第一の取付部の取付用孔部から止着具を挿通して、上記壁面部にこの第一の取付部を取り付ける一方、
上記第二の取付部の取付用長孔部から止着具を挿通して、上記第二の天井部に配置される野縁材又は野縁材の端部を保持するランナー材にこの第二の取付部を取り付け、
上記第二の天井部と上記壁面部とを連結する
ことを特徴とする勾配天井の連結構造。
【請求項５】
上記連結プレートの上記第一の取付部、又は上記第二の取付部の一方又は双方に、上記折曲げ境界と直交する方向に目盛を設けた
ことを特徴とする請求項３又は４記載の勾配天井の連結構造。
【発明の詳細な説明】
【技術分野】
【０００１】
本発明は、建物の平天井と勾配天井間などを連結する連結プレート及びこの連結プレートを用いた連結構造に関する。
【背景技術】
【０００２】
近年、建物の天井の形状を一般の平天井のみではなく、屋根の勾配に合わせるように傾斜させた勾配天井の構造を取り入れることにより、最大限に室内空間などの立体空間を確保する建築方式が注目されている。
上記勾配天井は、一般に、その下端部である壁面と勾配天井を形成する野縁材とが交わる箇所、及び、その上端部の野縁材と平天井を形成する野縁材同士が交わる箇所に、勾配天井の勾配角度に応じた角度に設定された勾配ランナー材が使用されている。
【０００３】
例えば、特許文献１には内装下地板の連結構造の記載があり、この連結構造に係る葺き下ろし天井フレーム９０は、図１４に示すように、傾斜した状態で配される勾配野縁９１、これら勾配野縁９１の上端部間を連結する水平な上側ランナー９２、及び下端部間を連結する下側ランナー９３を組み合せたものである。
上記勾配野縁９１は、その下端の壁部に接する箇所は垂直面となっており、また上側ランナー９２（勾配ランナー）は勾配野縁９１の上面部に跨る上片９４と、下面部に跨る下片９５と、これら上片と下片を連結する垂直片９６とによって傾いたコ字形に形成されている。また、上記下側ランナー９３についても、上片９７、下片９８、これら上片と下片を連結し、勾配野縁９１の垂直な下端面が当接する垂直片９９とによって傾いたコ字形に形成された形態である。
【０００４】
特許文献２には、葺き下ろし用鋼製天井フレームに関し、葺き下ろし部の勾配に合致する勾配の傾斜面を有し、その傾斜面が互いに平行となるように連結されている勾配ランナーを用いた記載がある。
また特許文献３には、勾配天井用ランナーに関し、勾配天井面の上側縁部および下側縁部に沿って勾配天井用ランナーが水平に配置された記載がある。
【先行技術文献】
【特許文献】
【０００５】
【特許文献１】特開２００３−１９３６１７号公報
【特許文献２】特許第３５３８４９８号公報
【特許文献３】特開平１１−５０５９０号公報
【発明の概要】
【発明が解決しようとする課題】
【０００６】
しかし、勾配天井では天井の勾配角度は設計等により異なるため、施工の際には、その勾配角度に応じた様々な勾配の種類の勾配ランナー材が必要となる。このため上記特許文献１〜３に記載の天井構造では、様々な種類の勾配ランナー材を品揃えしておくか、若しくはその都度、特定の勾配の勾配ランナー材を受注生産等しなければならず、このため在庫負担が増加し、或いは製品単価が増加するといった問題が生じる。
また、現場において天井の勾配角度に設計変更等があった場合には、その設計変更に対応した勾配角度を有する新たな勾配ランナー材を準備する必要があるなど、拡張性にも欠けるという問題がある。
【０００７】
本発明は、上記問題点に鑑みてなされたものであり、勾配天井の勾配角度の如何を問わず平天井と勾配天井間等の連結が行え、施工が容易で経済性にも優れる勾配天井の連結プレート及び連結構造を提供することを目的としている。
【課題を解決するための手段】
【０００８】
以上の技術的課題を解決するため、本発明に係る勾配天井の連結プレートは、図１，２，９，１２，１３等に示すように、第一の天井部２，７２と、この第一の天井部に対して傾斜する勾配天井を形成する第二の天井部４，７４との境界に配置され、平板を二分する折曲げ境界の一方側には第一の取付部２２，８２が、また他方側には第二の取付部２４，８４がそれぞれ形成され、上記折曲げ境界には、この折曲げ境界に沿う方向に長い折曲用長孔部２６が設けられ、上記第一の取付部には、上記折曲げ境界と直交する方向に長い取付用長孔部３０が、また上記第二の取付部には、上記折曲げ境界と直交する方向に長い取付用長孔部３０がそれぞれ設けられ、上記折曲げ境界を境に、上記第一の天井部に対する上記第二の天井部の勾配と同様の角度に折り曲げ、上記第一の取付部の取付用長孔部から止着具を挿通して、上記第一の天井部に配置される野縁材８又は野縁材の端部を保持するランナー材１０にこの第一の取付部を取り付ける一方、上記第二の取付部の取付用長孔部から止着具を挿通して、上記第二の天井部に配置される野縁材又は野縁材の端部を保持するランナー材にこの第二の取付部を取り付け、上記第一の天井部と上記第二の天井部とを連結する構成である。
【０００９】
本発明に係る勾配天井の連結プレートは、上記第一の取付部、又は上記第二の取付部の一方又は双方に、上記折曲げ境界と直交する方向に目盛３４を設けた構成である。
【００１０】
本発明に係る勾配天井の連結構造は、図１，９，１２等に示すように、第一の天井部２，７２と、この第一の天井部に対して傾斜する勾配天井を形成する第二の天井部４，７４との境界に配置され、平板を二分する折曲げ境界の一方側には第一の取付部２２，８２が、また他方側には第二の取付部２４，８４がそれぞれ形成され、上記折曲げ境界には、この折曲げ境界に沿う方向に長い折曲用長孔部２６が設けられ、上記第一の取付部には、上記折曲げ境界と直交する方向に長い取付用長孔部３０が、また上記第二の取付部には、上記折曲げ境界と直交する方向に長い取付用長孔部３０がそれぞれ設けられた勾配天井の連結プレート６，８０を用い、上記連結プレートを、上記折曲げ境界を境に上記第一の天井部に対する上記第二の天井部の勾配と同様の角度に折り曲げ、上記第一の取付部の取付用長孔部から止着具を挿通して、上記第一の天井部に配置される野縁材又は野縁材の端部を保持するランナー材にこの第一の取付部を取り付ける一方、上記第二の取付部の取付用長孔部から止着具を挿通して、上記第二の天井部に配置される野縁材又は野縁材の端部を保持するランナー材にこの第二の取付部を取り付け、上記第一の天井部と上記第二の天井部とを連結する構成である。
【００１１】
本発明に係る勾配天井の連結構造は、図５〜７等に示すように、第一の天井部に対して傾斜する勾配天井を形成する第二の天井部４，７４と、この第二の天井部が接する壁面部６２との境界に配置され、平板を二分する折曲げ境界の一方側には第一の取付部２２，８２が、また他方側には第二の取付部２４，８４がそれぞれ形成され、上記折曲げ境界には、この折曲げ境界に沿う方向に長い折曲用長孔部２６が設けられ、上記第一の取付部には、取付用孔部３２が、また上記第二の取付部には、上記折曲げ境界と直交する方向に長い取付用長孔部３０がそれぞれ設けられた勾配天井の連結プレート６，８０を用い、上記連結プレートを、上記折曲げ境界を境に上記壁面部に対する上記第二の天井部の勾配と同様の角度に折り曲げ、上記第一の取付部の取付用孔部から止着具を挿通して、上記壁面部にこの第一の取付部を取り付ける一方、上記第二の取付部の取付用長孔部から止着具を挿通して、上記第二の天井部に配置される野縁材又は野縁材の端部を保持するランナー材にこの第二の取付部を取り付け、上記第二の天井部と上記壁面部とを連結する構成である。
【００１２】
本発明に係る勾配天井の連結構造は、上記連結プレートの上記第一の取付部、又は上記第二の取付部の一方又は双方に、上記折曲げ境界と直交する方向に目盛３４を設けた構成である。
【発明の効果】
【００１３】
本発明に係る勾配天井の連結プレートによれば、第一の天井部と勾配天井を形成する第二の天井部との境界に配置され、折曲げ境界に沿う方向に長い折曲用長孔部が設けられ、第一及び第二の取付部には取付用長孔部が設けられ、第一の天井部に配置される野縁材又はランナー材に第一の取付部を取り付ける一方、第二の天井部に配置される野縁材又はランナー材に第二の取付部を取り付け、第一の天井部と上記第二の天井部とを連結する構成を採用したから、特別なランナー材或いは野縁材などを使用せずに勾配天井を構成でき、また勾配天井の傾斜角度に応じて容易に折り曲げて使用することができるため、様々な傾斜角度の勾配天井にも対応でき、また薄く小型の平板であるため取り扱いが容易であり、現場における固定及び位置決めが行いやすく、細部（狭部）においても取付用長孔部等により施工性が非常に良好であり、また小型の平板形状なので現場への搬入も容易であり、かつ製造コストも輸送コストも安くて経済性にも優れるという効果を奏する。
【００１４】
本発明に係る勾配天井の連結プレートによれば、第一の取付部又は第二の取付部の一方又は双方に折曲げ境界と直交する方向に目盛を設けた構成を採用したから、野縁材又はランナー材などの固定位置が、物差しを準備することもなく正確かつ迅速に定められ作業性に優れるという効果がある。
【００１５】
本発明に係る勾配天井の連結構造によれば、第一の天井部と勾配天井を形成する第二の天井部との境界に配置され、折曲げ境界に沿う方向に長い折曲用長孔部が設けられ、第一及び第二の取付部には取付用長孔部が設けられた連結プレートを用い、第一の天井部に配置される野縁材又はランナー材に第一の取付部を取り付ける一方、第二の天井部に配置される野縁材又はランナー材に第二の取付部を取り付け第一の天井部と第二の天井部とを連結する構成としたから、特別なランナー材或いは野縁材などを使用せずに勾配天井を構成でき、また勾配天井の傾斜角度に応じて連結プレートを容易に折り曲げて使用することができ、様々な傾斜角度の勾配天井にも簡単に対応でき、また連結プレートは薄く小型の平板であるため取り扱いが容易であり、現場における固定及び位置決めが行いやすく、細部（狭部）においても取付用長孔部等により施工性が非常に良好であり、また連結プレートは小型の平板形状なので現場への搬入も容易であり、かつ製造コストも輸送コストも安くて経済性にも優れるという効果を奏する。
【００１６】
本発明に係る勾配天井の連結構造によれば、勾配天井を形成する第二の天井部と壁面部との境界に配置され、折曲げ境界に沿う方向に長い折曲用長孔部が設けられ、第一の取付部には取付用孔部が、また第二の取付部には取付用長孔部が設けられた連結プレートを用い、壁面部に第一の取付部を取り付ける一方、第二の天井部に第二の取付部を取り付け、第二の天井部と壁面部とを連結する構成としたから、上記と同様、勾配天井の傾斜角度に応じて連結プレートを容易に折り曲げて使用することができ、様々な傾斜角度の勾配天井にも簡単に対応でき、また連結プレートは取り扱いが容易であり、現場における固定及び位置決めが行いやすく、細部（狭部）においても施工性が非常に良好であり、また現場への搬入も容易であり製造コストも輸送コストも安くて経済性にも優れるという効果がある。
【００１７】
本発明に係る勾配天井の連結構造によれば、連結プレートの第一の取付部、又は第二の取付部の一方又は双方に、折曲げ境界と直交する方向に目盛を設けた構成としたから、野縁材又はランナー材などの固定位置が、物差しを準備することもなく正確かつ迅速に定められ作業性に優れるという効果がある。
【図面の簡単な説明】
【００１８】
【図１】本発明の第一の実施の形態に係る勾配天井と平天井との連結構造を示す図である。
【図２】勾配天井の連結プレートを示す図であり（ａ）は正面、（ｂ）は背面を示す。
【図３】第一の実施の形態に係る勾配天井と平天井との連結構造の部分図である。
【図４】平天井の構造を示す図である。
【図５】勾配天井と壁面部との連結構造の施工途中の状態を示す第一の図である。
【図６】勾配天井と壁面部との連結構造の施工途中の状態を示す第二の図である。
【図７】勾配天井と壁面部との連結構造の部分図である。
【図８】第一の実施の形態に係る勾配天井などの側面を示す図である。
【図９】第二の実施の形態に係る勾配天井と平天井との連結構造を示す図である。
【図１０】第二の実施の形態に係る勾配天井と平天井との連結構造の部分図である。
【図１１】第二の実施の形態に係る勾配天井などの側面を示す図である。
【図１２】他の形態に係る勾配天井の連結構造を示す図である。
【図１３】勾配天井の他の形態の連結プレートを示す図である。
【図１４】従来例に係る内装下地板の連結構造を示す図である。
【発明を実施するための形態】
【００１９】
以下、本発明の実施の形態を図面に基づいて説明する。
図１は、第一の実施の形態に係る勾配天井と平天井との連結構造を示したものである。ここで、この勾配天井が敷設された部屋の天井構造として、水平な平天井を形成する第一の天井部２と、この第一の天井部２に対して傾斜する勾配天井を形成する第二の天井部４を有している。
【００２０】
上記勾配天井の連結構造は、勾配天井の連結プレート６、野縁材８、野縁材８を保持するランナー材１０、野縁材受１２、野縁材クリップ１４、及びハンガー１６等により構成され、野縁材８には天井板１８が張付けられる。この勾配天井の連結構造では、上記連結プレート６を用いて第一の天井部２と傾斜した第二の天井部４との境界を連結する。
【００２１】
上記連結プレート６は、図２に示すように全体が長方形状の鋼製板材であり、中央部の線状の折曲げ境界２０を境にして一方側には矩形状の第一の取付部２２が、また他方側には矩形状の第二の取付部２４がそれぞれ形成されている。この連結プレート６は、幅８０ｍｍ×長さ１６０ｍｍ程度の大きさである。
【００２２】
上記折曲げ境界２０の中央部には、この境界に沿って長い折曲用長孔部２６が形成されており、また折曲げ境界２０の両端部（連結プレート６の中央両側）はＶ字状に切り欠かれた切欠部２８が形成されている。上記折曲用長孔部２６は、スリット状（平行）の長孔の両端部がそれぞれくの字状に切り込まれた形状をなしている。
この連結プレート６は、上記折曲げ境界２０を折り曲げて使用する。この折り曲げの際には、折曲げ境界２０に沿って形成された折曲用長孔部２６、及び上記切欠部２８，２８により、折り曲げに対する強度が緩和されて折り曲げが容易に行える。
【００２３】
また、上記第一の取付部２２の左右の部位には、それぞれ上記折曲げ境界２０と直交する方向に長い取付用長孔部３０が形成されている。またこれら取付用長孔部３０，３０間には前後（２箇所）にそれぞれ円形の取付用孔部３２が形成されている。上記第二の取付部２４についても同様に、その左右の部位には、それぞれ折曲げ境界２０と直交する方向に長い取付用長孔部３０が形成され、またこれら取付用長孔部３０，３０間には前後にそれぞれ円形の取付用孔部３２が形成されている。
また、第一の取付部２２及び第二の取付部２４の両側部（折曲げ境界２０と直交する）には、それぞれ折曲げ境界２０の近傍を零とし、ここからの距離をミリメートル単位で表した目盛３４が刻まれている。
【００２４】
上記野縁材８は、図３にも示すように、軽量鋼板を断面矩形の角筒状に屈曲成形したものであり、辺同士の継ぎ目はかしめ加工により接続されている。この野縁材８は、上面部３６、左右の側面部３７、及び下面部３８からなる。野縁材８は他に、鋼板を断面Ｃ字状に加工した溝形材などが用いられる。
【００２５】
上記ランナー材１０は、鋼板を断面コの字状に屈曲成形したものである。このランナー材１０は、上片部４０、側面部４１、及び下片部４２からなり、またこれらによって開口部４３が形成されている。
上記野縁材受１２は、鋼板を断面コの字状に屈曲成形したものであり、上面部４４、側面部４５、及び下面部４６からなる。
【００２６】
上記野縁材クリップ１４は、鋼板を屈曲成形したものであり、断面Ｕ字状の受け部４８、この受け部４８の側板部４９の手前側を半分程度切り込み、その上部側を外側に屈曲した支持部５０、及びこの支持部５０の上部を延設して手前側に屈曲した掛止部５２を有する形状である。
【００２７】
上記ハンガー１６は、垂直な支持部５４の下端部を上方に屈曲した断面Ｕ字状の受け具５６を有し、上記支持部５４の上端部は後方に屈曲した取付部５７が形成されている。このハンガー１６の上記取付部５７には、その中央に設けられた孔部に支持ボルト６０が挿通され、この支持ボルト６０は取付部５７の上下に配置されたナット５８により固定されている。
上記天井板１８は、石膏ボードなどからなる天井の仕上げ材である。
【００２８】
ここで、上記勾配天井の連結構造について説明する。この勾配天井では、第一の天井部２と第二の天井部４との連結部６１（ライン状）に対して平行に野縁材８を配置する。
上記第一の天井部２の天井構造は、図１，４に示すように、野縁材８をハンガー１６に取り付けた野縁材受１２及びランナー材１０で支持する構造である。
【００２９】
上記ハンガー１６は、天井の梁（図示せず）等に固定した固定金具６５に支持ボルト６０を螺着して取り付け、各ハンガー１６の受け具５６に野縁材受１２を保持する。
一方、ランナー材１０は、天井際の左右の壁面部６２にその側面部４１をビス等の止着具を用いて固定し、開口部４３を向かい合わせに配置する。そして、野縁材８の両端部をそれぞれ上記向い合せのランナー材１０の開口部４３内に差し込み、ランナー材１０の下片部４２からタッピングビス等の止着具６４を用いて野縁材８の下面部３８を固定する。このように、各野縁材８は、左右のランナー材１０間に一定間隔をおいて且つ互いに平行に架設する。
【００３０】
さらに、上記野縁材８の中間部は、野縁材クリップ１４を用いて上記野縁材受１２に掛止する。このとき、野縁材クリップ１４の受け部４８によって野縁材８の下面部３８を保持させる一方、野縁材クリップ１４の掛止部５２を野縁材受１２の上面部４４の表側から裏側に向けて折り曲げ、この掛止部５２を野縁材受１２に係止させる。これにより、第一の天井部２の下地構造が仕上がる。
【００３１】
そして、図３に示すように、第一の天井部２の天井構造の端部に配置された野縁材８の下面部３８に、上記連結プレート６の第一の取付部２２を取り付ける。この連結プレート６の取付けに際しては、第一の取付部２２に設けた取付用長孔部３０，３０からそれぞれタッピングビス等の止着具６４を挿通し、工具を用いてこれを野縁材８の下面部３８に締結する。この際、野縁材８に対する第一の取付部２２の取り付け位置は、連結プレート６の目盛３４により正確な位置を定めることができ、また取付用長孔部３０の範囲で止着具６４の適切な止着位置を定めることができる。
上記連結プレート６は、上記野縁材８の長尺方向に所定間隔をおいて取り付ける。この間隔は、ここでは４００ｍｍ〜５００ｍｍとしている。
【００３２】
次に、第二の天井部４の天井構造について説明する。この第二の天井部４は、上記第一の天井部２とは連続し、かつ第一の天井部２に対して勾配を設けて形成される。
図５，６に示すように、第二の天井部４に関し、部屋の壁面部６２の下地として、部屋の周囲に所定の間隔で間柱６６が立設され、これら間柱６６の前面に壁ボード６８が張り付けられている。
【００３３】
そして、左右の壁面部６２にそれぞれランナー材１０を取り付ける。これらランナー材１０は、それぞれ第二の天井部４の勾配と同一の角度に配置し、このランナー材１０の上部側の端部（下片部４２）は、上記第一の天井部２に配置したランナー材１０（下片部４２）と連結部で合致するように配置する。各ランナー材１０は、その側面部４１をビス等の止着具６３を用いて壁面部６２に固定する。
【００３４】
次に、図６に示すように、第二の天井部４の上記ランナー材１０の壁際の最下部の位置に野縁材８（際野縁材）を配置する。この野縁材８を配置する箇所には、壁面部６２の前面に所定間隔（間柱６６間隔）をおいて連結プレート６を固定する。この連結プレート６は、木ビス又は釘などの止着具７０を用いて壁ボード６８を介して後部の間柱６６に締結する。
【００３５】
上記連結プレート６は、その第一の取付部２２を壁面部６２に固定する。この際、止着具７０を第一の取付部２２の２つの取付用孔部３２を利用して締結する。そして、作業者は手作業（又は工具を利用）により連結プレート６の折曲げ境界２０を境に第二の取付部２４をＶ字状に折り曲げる。この連結プレート６の折り曲げ角度（第二の取付部２４の向き）は、壁面部６２に対する第二の天井部４の傾斜角度と一致させる。
【００３６】
次に、野縁材８(際野縁材)を上記折り曲げた各連結プレート６間に架設する。これと同時に、野縁材８の端部を先に壁面部６２に取り付けたランナー材１０の開口部４３内に差し込む。
そして、図７に示すように、野縁材８を連結プレート６に保持させ、野縁材８の下面部３８の向きを連結プレート６の第二の取付部２４の向きと一致させる。
【００３７】
このとき、連結プレート６の第一の取付部２２及び第二の取付部２４には、それぞれ目盛３４が刻まれていることから、この目盛３４を基準にして正確な野縁材８の配置位置（或いは傾き加減など）を定める。
そして、止着具６４を用いて、連結プレート６の折り曲げた第二の取付部２４に野縁材８を固定する。この際、第二の取付部２４の各取付用長孔部３０からそれぞれ止着具６４を挿通し、野縁材８の下面部３８に螺設する。
また、ランナー材１０に差し込んだ野縁材８の端部についても、この箇所を止着具６４を用いてランナー材１０に締結して固定する。
【００３８】
さらに、第二の天井部４には、上記野縁材８（際野縁材）と上記第一の天井部２との連結箇所に配置する最上部の野縁材８との間の中間にも野縁材８を配置する。この野縁材８についても、両端部を上記ランナー材１０の開口部４３内に差し込み、各端部を止着具６４を用いてランナー材１０に固定する。
また、上記中間に位置する野縁材８は、その中間部を吊り具等を用いて天井の梁等に接続して固定する。
【００３９】
そして、第二の天井部４の天井構造を形成する最上部の野縁材８については、上記第一の天井部２の端部（第二の天井部４との境界）の野縁材８に取り付けた連結プレート６と連結する。
即ち、連結プレート６の第一の取付部２２は、第一の天井部２の端部に配置された野縁材８の下面部３８に取付け、また第二の取付部２４は上記第二の天井部４を形成する最上部の野縁材８の下面部３８に取付け、両野縁材８同士を連結プレート６を用いて連結する。
ここでは、第一の天井部２に対する第二の天井部４の勾配と同様の角度に、連結プレート６の折曲げ境界２０を折り曲げる。この折り曲げは、折曲用長孔部２６等により作業者の手作業等により容易かつ迅速に行われる。
【００４０】
そして、第一の天井部２に第一の取付部２２が取り付けられた連結プレート６に対して、その第二の取付部２４に設けた取付用長孔部３０，３０からそれぞれ止着具６４を挿通し、第二の天井部４の最上部の野縁材８の下面部３８に締結する。
この場合についても、野縁材８に対する第二の取付部２４の取り付け位置は、連結プレート６の目盛３４により正確な位置を定めることができ、また取付用長孔部３０の範囲で止着具６４の適切な止着位置を定めることができる。
このとき、連結プレート６の折曲げ境界２０は上記両野縁材８同士の間（連結部６１）に位置するようにする。そして、上記野縁材８に取り付けられた全ての連結プレート６についても同様にして野縁材８同士を連結する。
【００４１】
また、第二の天井部４の野縁材８は、その端部をランナー材１０の開口部４３内に差し込み、止着具６４を用いてランナー材１０に固定する。
このようにして、図８に示すように、第一の天井部２と、これに連結された第二の天井部４の連結構造が、野縁材８、ランナー材１０及び連結プレート６等の組み合せにより形成され、各天井部の野縁材８に天井板１８をビス等を用いて張り付けて仕上げる。
【００４２】
したがって、上記実施の形態によれば、従来のように勾配ランナー等を使用せずに勾配天井を構成することができ、また勾配天井の傾斜角度に応じて連結プレートを折り曲げて使用することができるため、様々な傾斜角度の勾配天井にも簡単に対応できる。
また連結プレートは薄く小型の平板であるため、従来の勾配ランナーに比べて取り扱いが容易であり、現場における固定や位置決めが行いやすく、細部（狭部）においても施工性が非常に良好であり、また小型の平板形状なので、従来の勾配ランナー等に比べて現場への搬入も容易であり、かつ製造コスト及び輸送コストも安くて経済的である。
【００４３】
図９は、第二の実施の形態に係る勾配天井の連結構造を示すものである。
この勾配天井の連結構造に係る構成部材については、上記第一の実施の形態に係る構成部材と略同様であり、ここでは同一の符号を用いて詳細な説明は省略する。
この勾配天井の連結構造についても、部屋の天井として、水平な平天井部分である第一の天井部７２と、この第一の天井部７２に対して傾斜する勾配天井部分である第二の天井部７４を有する。
【００４４】
上記第一の天井部７２の基本的な天井構造は、上記図４に示す天井構造と同様であり、ハンガー１６間に野縁材受１２を架設し、野縁材クリップ１４を用いて野縁材受１２に野縁材８を掛止する。ただし、この第一の天井部７２では、各野縁材８は連結部６１に対して直交する向きに配置する。これは、図４に示す天井構造の向きを水平に９０度変えた形態と同様である。
そして、ここではランナー材１０を上記連結部７５に沿う状態に配置する。さらに、このランナー材１０と直交する各野縁材８の端部をランナー材１０の開口部４３に差し込み、ランナー材１０の下片部４２からタッピングビス等の止着具６４を用いて野縁材８の下面部３８を固定する。これにより、第一の天井部７２の下地構造が形成される。
【００４５】
ここで、上記第一の天井部７２を形成する上記ランナー材１０に、所定間隔をおいて連結プレート６を取り付ける。この間隔は、ここでは４００ｍｍ〜５００ｍｍとしている。
この連結プレート６の取付けに際しては、第一の取付部２２に設けた取付用長孔部３０，３０からそれぞれ止着具６４を挿通し、これをランナー材１０の下片部４２に締結する。
このとき、止着具６４の止着箇所は取付用長孔部３０の範囲内の適切な位置に定める。また、連結プレート６の折曲げ境界２０は上記ランナー材１０の下片部４２の角部に位置するよう配置する。
【００４６】
次に、第二の天井部７４の天井構造について説明する。この天井構造は、上記第一の天井部７２の天井構造とは連続し、かつ所定の勾配を設けて第一の天井部７２に対して傾斜した形態で配置する。
この第二の天井部７４については、最下部の壁際の位置にランナー材１０を取り付ける。図１０に示すように、上記ランナー材１０を配置する位置には、壁面部６２の前面に上記連結プレート６を取り付ける。この場合、連結プレート６の第一の取付部２２を、木ビス又は釘などの止着具を用いて壁ボード６８を介して後部の間柱６６に締結する。そして、連結プレート６の第二の取付部２４を第二の天井部７４の傾斜角度と一致するようにＶ字状に折り曲げる。
【００４７】
次に、ランナー材１０を上記折り曲げた各連結プレート６間に架設する。そして、ランナー材１０を連結プレート６に保持させ、ランナー材１０の下片部４２の向きを連結プレート６の第二の取付部２４の向きと一致させ、連結プレート６の目盛３４により正確な位置決めを行う。ここで、連結プレート６の第二の取付部２４の各取付用長孔部３０からそれぞれ止着具６４を挿通し、第二の取付部２４をランナー材１０の下片部４２に締結する。
【００４８】
一方、第二の天井部７４の最上部には、上記第一の天井部７２との連結部６１にランナー材１０を取り付ける。ここで、上記第一の天井部７２のランナー材１０に取り付けた連結プレート６を、それぞれ折曲げ境界２０を境に折り曲げる。この折り曲げ角度は、第二の天井部４の勾配と同一の角度とする。
そして、上記連結プレート６の裏面側にランナー材１０を配置し、この連結プレート６の第二の取付部２４に設けた取付用長孔部３０，３０からそれぞれ止着具６４を挿通し、これをランナー材１０の下片部４２に締結する。これで、第二の天井部７２の上端部のランナー材１０が第二の天井部７４の勾配と同一の角度で固定される。
【００４９】
次に、上記第二の天井部７４の上下に配置したランナー材１０間に、これらと直交する方向に野縁材８を所定間隔をおいて配置する。各野縁材８は、その端部をランナー材１０の開口部４３内に差し込み、止着具６４を用いてランナー材１０に固定する。
【００５０】
このようにして、図１１に示すように、第一の天井部７２と、これに連結された第二の天井部７４の連結構造が、ランナー材１０、野縁材８及び連結プレート６等の組み合せにより形成され、各天井部の野縁材８に天井板１８をビス等を用いて張り付けて仕上げる。
【００５１】
したがって、この実施の形態によれば、上記第一の実施の形態と同様、勾配天井の傾斜角度に応じて連結プレートを折り曲げて使用することができるため、様々な傾斜角度の勾配天井にも簡単に対応できる。また連結プレートは取り扱いが容易であり、現場における固定や位置決めが行いやすく、細部（狭部）においても施工性が非常に良好であり、また現場への搬入も容易であり、かつ製造コストも輸送コストも安くて経済的である。
【００５２】
図１２は、他の形態に係る勾配天井の連結構造を示したものである。
これは、第一の実施の形態において、この形態で用いられている連結プレート６に替えてロングタイプの連結プレート８０を用いた形態である。この連結プレート８０は、上記連結プレート６に比べて横長であり折り曲げ境界が長く形成されている。
この勾配天井の連結構造に係る構成部材については、上記連結プレート８０を除いて第一の実施の形態に係る構成部材と略同様であり、ここでは同一の符号を用いて詳細な説明は省略する。
【００５３】
図１３は、上記連結プレート８０を示したものである。この連結プレート８０は、全体が横に長い長方形状の鋼製板材であり、中央部の線状の折曲げ境界２０を境にして一方側には平板状の第一の取付部８２が、また他方側には第二の取付部８４がそれぞれ形成されている。
【００５４】
上記折曲げ境界２０には、この境界に沿って長い折曲用長孔部２６が複数（ここでは１１個）形成されており、また折曲げ境界の両端部はＶ字状に切り欠かれた切欠部２８が形成されている。折曲用長孔部２６は、それぞれスリット状（平行）の孔の両側はそれぞれＶ字（横向き）形状である。
【００５５】
また、上記第一の取付部８２の左右の端部の各部位、及び中央部の左右の各部位には、それぞれ上記屈曲げ境界２０と直交する方向に長い取付用長孔部３０（４箇所）が形成されている。また、左右の両端部の取付用長孔部３０の近傍（内側）、及び各取付用長孔部３０同士の間には前後（２箇所）にそれぞれ円形の取付用孔部３２が形成されている。
上記第二の取付部８４についても同様に、上記折曲げ境界２０と直交する方向に長い取付用長孔部３０が形成され、また取付用長孔部３０同士の間に円形の取付用孔部３２が形成されている。
【００５６】
また、第一の取付部８２及び第二の取付部８４の両側部（折曲げ境界２０と直交する）には、それぞれ折曲げ境界２０の近傍を零とし、ここからの距離をミリメートル単位で表した目盛３４が刻まれている。
この連結プレート８０は、上記折曲げ境界２０を折り曲げて使用する。この折り曲げの際には、折曲げ境界に沿って形成された複数の折曲用長孔部２６、及び切欠部２８により折り曲げの抵抗力が緩和されて折り曲げが容易に行える。
【００５７】
この連結プレート８０についても、図１２に示すように、第一の天井部２の天井構造の端部に配置された野縁材８の下面部３８に、上記連結プレート８０の第一の取付部８２を取り付ける。この連結プレート８０の取付けに際しては、第一の取付部８２に設けた取付用長孔部３０，３０からそれぞれタッピングビス等の止着具６４を挿通し、これを野縁材８の下面部３８に締結する。この際、野縁材８に対する第一の取付部８２の取り付け位置は、連結プレート８０の目盛３４により正確な位置を定めることができ、また取付用長孔部３０の範囲で止着具６４の適切な止着位置を定めることができる。
上記連結プレート８０は、上記野縁材８の長尺方向に所定間隔をおいて取り付ける。
【００５８】
次に、第二の天井部４の天井構造を形成する最上部の野縁材８を、第一の天井部２の端部の野縁材８に取り付けた上記連結プレート８０と連結する。そして、上記と同様にこの連結プレート８０の第二の取付部８４を第二の天井部４を形成する最上部の野縁材８の下面部３８に取付け、両野縁材８同士を連結プレート６を用いて連結する。
【００５９】
また、第二の天井部４を形成する野縁材８は、その端部をランナー材１０の開口部４３内に差し込み、止着具６４を用いてランナー材１０に固定する。このようにして、第一の天井部２と、これに連結された第二の天井部４の連結構造とが形成され、各天井部の野縁材８に天井板１８をビス等を用いて張り付けて仕上げる。
【００６０】
したがって、この実施の形態によれば、上記第一の実施の形態と同様、勾配天井の傾斜角度に応じて連結プレートを折り曲げて使用することができるため、様々な傾斜角度の勾配天井にも簡単に対応できる。また連結プレートは取り扱いが容易であり、現場における固定や位置決めが行いやすく、細部（狭部）においても施工性が非常に良好であり、また現場への搬入も容易であり、かつ製造コストも輸送コストも安く経済的である。
また、この実施の形態で用いた連結プレート８０は、取付部を横に長くしかつ取付用長孔部を増やすことで連結強度を高めているため、面積が広くて強度が必要な天井或いは強度が必要な箇所に適宜用いることで有効利用できる。
【符号の説明】
【００６１】
２，７２  第一の天井部
４，７４  第二の天井部
６，８０  連結プレート
８  野縁材
１０  ランナー材
２０  折曲げ境界
２２，８２  第一の取付部
２４，８４  第二の取付部
２６  折曲用長孔部
２８  切欠部
３０  取付用長孔部
３２  取付用孔部
３４  目盛
６２  壁面部
【図１】
2012031674.tif 000003
【図２】
2012031674.tif 000004
【図３】
2012031674.tif 000005
【図４】
2012031674.tif 000006
【図５】
2012031674.tif 000007
【図６】
2012031674.tif 000008
【図７】
2012031674.tif 000009
【図８】
2012031674.tif 000010
【図９】
2012031674.tif 000011
【図１０】
2012031674.tif 000012
【図１１】
2012031674.tif 000013
【図１２】
2012031674.tif 000014
【図１３】
2012031674.tif 000015
【図１４】
2012031674.tif 000016